(57)【要約】【課題】放射線撮影システムにおいて撮影プロトコルを容易に変更することを可能にする技術を提供する。【解決手段】被写体に放射線を照射し、放射線画像を取得する放射線撮影システムは、放射線撮影に関する１つ以上のパラメータを含む第一の撮影プロトコルを取得し、取得した撮影プロトコルの一部のパラメータが異なる第二の撮影プロトコルを、記憶手段に記憶された複数の撮影プロトコルから検索し、第二の撮影プロトコルが特定された場合、該特定された第二の撮影プロトコルの中から第一の撮影プロトコルの置換先となる撮影プロトコルを選択するためのユーザインタフェースを表示手段に表示させ、ユーザインタフェースに対する操作者の指示に従い、第一の撮影プロトコルを、選択された第二の撮影プロトコルに置換する。【選択図】  図３
2020028757.tif 000002
【特許請求の範囲】
【請求項１】
放射線撮影に関する１つ以上のパラメータを含む撮影プロトコルに応じて制御された放射線発生装置から被写体に照射されて該被写体を透過した放射線を検知して、該放射線に応じた放射線画像を取得するセンサ部と、
前記撮影プロトコルに応じて前記センサ部で取得された放射線画像の画像処理を行うための前記放射線撮影に関する処理を行う情報処理装置と、を備える放射線撮影システムであって、
前記情報処理装置は、
複数の撮影プロトコルを記憶する記憶手段と、
前記撮影プロトコルとして第一の撮影プロトコルを取得する取得手段と、
前記記憶手段に記憶された前記複数の撮影プロトコルから、前記第一の撮影プロトコルとその一部のパラメータが異なる撮影プロトコルとして第二の撮影プロトコルを特定する特定手段と、
操作者からの指示に応じて前記第一の撮影プロトコルを前記第二の撮影プロトコルに置換するユーザインタフェースを表示手段に表示された前記第一の撮影プロトコルを示すプロトコル表示領域に表示させる制御手段と、
前記ユーザインタフェースに対する操作者の指示に従い、前記第一の撮影プロトコルを前記第二の撮影プロトコルに置換する置換手段と、
を備えることを特徴とする放射線撮影システム。
【請求項２】
前記制御手段は、前記ユーザインタフェースを第一のユーザインタフェースとして表示手段に表示させ、
前記制御手段はさらに、操作者からの指示に応じて前記記憶手段に記憶された複数の撮影プロトコルの一覧から前記第一の撮影プロトコルを置換する候補の撮影プロトコルを選択する第二のユーザインタフェースを前記第一のユーザインタフェースとは別に前記表示手段に表示させ、
前記置換手段は、前記第一の撮影プロトコルを、前記第一及び第二のユーザインタフェースの少なくともいずれかに基づき選択された撮影プロトコルに置換することを特徴とする請求項１に記載の放射線撮影システム。
【請求項３】
前記制御手段は、前記第一のユーザインタフェースとして、放射線撮影を予定している前記第一の撮影プロトコルのパラメータを他のパラメータに置換するための絵柄を、その属性毎に、前記プロトコル表示領域に指示可能に表示させ、
前記置換手段は、前記絵柄が操作者により指示されたことに応じて、前記第一の撮影プロトコルを、当該絵柄の属性に係る前記一部のパラメータを他のパラメータに置き換えた前記第二の撮影プロトコルに置換することを特徴とする請求項２に記載の放射線撮影システム。
【請求項４】
前記制御手段は、前記第二のユーザインタフェースとして、放射線画像の表示領域に代えて、前記記憶手段に記憶された複数の撮影プロトコルの一覧を選択可能に前記表示手段に表示させることを特徴とする請求項２又は３に記載の放射線撮影システム。
【請求項５】
前記特定手段は、前記記憶手段に記憶された前記複数の撮影プロトコルから、前記第一の撮影プロトコルに係るパラメータの属性である、撮影方向、被写体の部位、側性、被写体サイズ、被写体の姿勢、切出しサイズ、放射線の照射条件、及び、画像処理条件の少なくともいずれかとその一部が異なる撮影プロトコルとして前記第二の撮影プロトコルを特定することを特徴とする請求項１から４のいずれか１項に記載の放射線撮影システム。
【請求項６】
前記情報処理装置は、前記パラメータの属性毎に、置換対象のパラメータと置換後のパラメータとの関係を示す情報を検索条件の生成ルール情報として保持する保持手段を更に備え、
前記特定手段は、前記生成ルール情報に基づき、前記第一の撮影プロトコルの一部のパラメータが異なる前記第二の撮影プロトコルを特定することを特徴とする請求項１から５のいずれか１項に記載の放射線撮影システム。
【請求項７】
前記取得手段は、前記第一の撮影プロトコルと共に当該第一の撮影プロトコルのプロトコル名を取得し、
前記特定手段は、前記プロトコル名に基づき検索条件を生成し、当該検索条件により前記一部のパラメータが異なる前記第二の撮影プロトコルを特定することを特徴とする請求項１から６のいずれか１項に記載の放射線撮影システム。
【請求項８】
前記取得手段は、前記第一の撮影プロトコルを識別コードとして取得し、
前記特定手段は、前記識別コードの一部のコード値が別のコード値に置換された識別コードを、前記第二の撮影プロトコルとして特定することを特徴とする請求項１から６のいずれか１項に記載の放射線撮影システム。
【請求項９】
前記情報処理装置は、前記撮影プロトコル毎に置換候補としての撮影プロトコルを予め登録する登録手段を更に備え、
前記特定手段は、前記第一の撮影プロトコルについて登録された置換候補としての撮影プロトコルを更に特定し、
前記制御手段は、特定された前記置換候補としての撮影プロトコルを更に指示可能に前記表示手段に表示させ、
前記置換手段は、前記置換候補としての撮影プロトコルが操作者により指示された場合、前記第一の撮影プロトコルを当該指示された撮影プロトコルに置換することを特徴とする請求項１に記載の放射線撮影システム。
【請求項１０】
放射線撮影に関する１つ以上のパラメータを含む撮影プロトコルに応じて、被写体に放射線を照射する放射線発生装置から該被写体に照射されて該被写体を透過した放射線を検知して該放射線に応じた放射線画像を取得するセンサ部で取得された放射線画像の画像処理を行うための前記放射線撮影に関する処理を行う情報処理装置であって、
複数の撮影プロトコルを記憶する記憶手段と、
前記撮影プロトコルとして第一の撮影プロトコルを取得する取得手段と、
前記記憶手段に記憶された前記複数の撮影プロトコルから、前記第一の撮影プロトコルとその一部のパラメータが異なる撮影プロトコルとして第二の撮影プロトコルを特定する特定手段と、
操作者からの指示に応じて前記第一の撮影プロトコルを前記第二の撮影プロトコルに置換するユーザインタフェースを表示手段に表示された前記第一の撮影プロトコルを示すプロトコル表示領域に表示させる制御手段と、
前記ユーザインタフェースに対する操作者の指示に従い、前記第一の撮影プロトコルを前記第二の撮影プロトコルに置換する置換手段と
を備えることを特徴とする情報処理装置。
【請求項１１】
放射線撮影に関する１つ以上のパラメータを含む撮影プロトコルに応じて制御された放射線発生装置から被写体に照射されて該被写体を透過した放射線を検知して、該放射線に応じた放射線画像を取得するセンサ部と、前記撮影プロトコルに応じて前記センサ部で取得された放射線画像の画像処理を行うための、前記放射線撮影に関する処理を行う情報処理装置と、を含む放射線撮影システムの制御方法であって、
前記情報処理装置の取得手段が、前記撮影プロトコルとして第一の撮影プロトコルを取得する取得工程と、
前記情報処理装置の特定手段が、前記情報処理装置の記憶手段に記憶された複数の撮影プロトコルから、前記第一の撮影プロトコルとその一部のパラメータが異なる撮影プロトコルとして第二の撮影プロトコルを特定する特定工程と、
前記情報処理装置の制御手段が、操作者からの指示に応じて前記第一の撮影プロトコルを前記第二の撮影プロトコルに置換するユーザインタフェースを表示手段に表示された前記第一の撮影プロトコルを示すプロトコル表示領域に表示させる制御工程と、
前記情報処理装置の置換手段が、前記ユーザインタフェースに対する操作者の指示に従い、前記第一の撮影プロトコルを前記第二の撮影プロトコルに置換する置換工程と
を有することを特徴とする放射線撮影システムの制御方法。
【請求項１２】
放射線撮影に関する１つ以上のパラメータを含む撮影プロトコルに応じて、被写体に放射線を照射する放射線発生装置から被写体に照射されて該被写体を透過した放射線を検知して該放射線に応じた放射線画像を取得するセンサ部で取得された放射線画像の画像処理を行うための、前記放射線撮影に関する処理を行う情報処理装置の制御方法であって、
取得手段が、前記撮影プロトコルとして第一の撮影プロトコルを取得する取得工程と、
特定手段が、記憶手段に記憶された複数の撮影プロトコルから、前記第一の撮影プロトコルとその一部のパラメータが異なる撮影プロトコルとして第二の撮影プロトコルを特定する特定工程と、
制御手段が、操作者からの指示に応じて前記第一の撮影プロトコルを前記第二の撮影プロトコルに置換するユーザインタフェースを表示手段に表示された前記第一の撮影プロトコルを示すプロトコル表示領域に表示させる制御工程と、
置換手段が、前記ユーザインタフェースに対する操作者の指示に従い、前記第一の撮影プロトコルを前記第二の撮影プロトコルに置換する置換工程と
を有することを特徴とする情報処理装置の制御方法。
【請求項１３】
コンピュータを、請求項１から９のいずれか１項に記載の放射線撮影システム、又は、請求項１０に記載の情報処理装置が備える各手段として機能させるためのコンピュータプログラム。
【発明の詳細な説明】
【技術分野】
【０００１】
本発明は放射線撮影システム及びその制御方法、情報処理装置及びその制御方法、コンピュータプログラムに関し、特に、医療用放射線画像を撮影するための放射線撮影装置に関する。
【背景技術】
【０００２】
近年、Ｘ線信号をデジタル画像に変換して出力するフラットパネルディテクタなどのＸ線センサを用いたＸ線撮影システムが普及してきている。一般的なＸ線撮影システムでは撮影に先だち、検査についてマニュアル（手動）で撮影プロトコルを登録したり、またはＲＩＳ（放射線科情報システム）から通知された撮影オーダーに基づき撮影プロトコルを展開して、検査に登録したりする。ＲＩＳはRadiology Information Systemの略称である。検査が開始されると、技師は登録された撮影プロトコルに基づいて患者のポジショニング、Ｘ線発生条件などを確認した後、Ｘ線撮影を行う（特許文献１参照）。なお、撮影プロトコルとは、撮影条件や撮影画像に対して施す画像処理の内容等を示すパラメータを含む、放射線撮影を規定する情報である。
【先行技術文献】
【特許文献】
【０００３】
【特許文献１】特開第２０００−３０８６３１号公報
【発明の概要】
【発明が解決しようとする課題】
【０００４】
撮影オーダーによって展開された撮影プロトコルは、実際に撮影する際に技師の判断により別の撮影プロトコルに置き換えられる場合がある。例えば、患者が車椅子を使っている場合、立位では撮影することができないため、座位の撮影プロトコルに置き換えるようなことが行われる。撮影プロトコルの置き換えは、意図的に部位を変更したい場合の他にも、撮影オーダー自体が誤っている場合や、その場で追加した撮影プロトコルが誤っている場合などにもなされる可能性がある。そのような撮影プロトコルでは、同一部位で左右を入れ替えるパターンや照射方向を入れ替えるパターンなど、いくつかの置き換えパターンが存在する。
【０００５】
従来、撮影プロトコルの置き換えを簡単に行えるようにするために、ある撮影プロトコルに対して予め登録された置換候補となる撮影プロトコルを一覧表示し、表示された置換候補プロトコルを操作者（ユーザ）が選択するようにしていた。しかし、撮影プロトコルのあらゆる誤りを想定して全ての置換候補を登録するようにすると、置換候補数のが膨大になり登録に手間がかかるだけでなく、選択肢が過剰に増えて、置換候補から所望の撮影プロトコルを探して選択するのに手間がかかってしまう。仮に、置換候補プロトコルを代表的なものに限定したとしても、左右の間違いなどを修正するために撮影プロトコルを置き換えるような場合であっても、全登録プロトコルから探し出すという操作が要求され、操作性が良いとはいえなかった。
【０００６】
本発明は上記課題に鑑みなされたものであり、放射線撮影システムにおいて撮影プロトコルを容易に変更することを可能にする技術を提供することを目的とする。
【課題を解決するための手段】
【０００７】
上記目的を達成するため、本発明による放射線撮影システムは以下の構成を備える。即ち、
放射線撮影に関する１つ以上のパラメータを含む撮影プロトコルに応じて制御された放射線発生装置から被写体に照射されて該被写体を透過した放射線を検知して、該放射線に応じた放射線画像を取得するセンサ部と、
前記撮影プロトコルに応じて前記センサ部で取得された放射線画像の画像処理を行うための前記放射線撮影に関する処理を行う情報処理装置と、を備える放射線撮影システムであって、
前記情報処理装置は、
複数の撮影プロトコルを記憶する記憶手段と、
前記撮影プロトコルとして第一の撮影プロトコルを取得する取得手段と、
前記記憶手段に記憶された前記複数の撮影プロトコルから、前記第一の撮影プロトコルとその一部のパラメータが異なる撮影プロトコルとして第二の撮影プロトコルを特定する特定手段と、
操作者からの指示に応じて前記第一の撮影プロトコルを前記第二の撮影プロトコルに置換するユーザインタフェースを表示手段に表示された前記第一の撮影プロトコルを示すプロトコル表示領域に表示させる制御手段と、
前記ユーザインタフェースに対する操作者の指示に従い、前記第一の撮影プロトコルを前記第二の撮影プロトコルに置換する置換手段と、を備えることを特徴とする。
【発明の効果】
【０００８】
本発明によれば、放射線撮影システムにおいて撮影プロトコルを容易に変更することを可能にする技術を提供することができる。
【図面の簡単な説明】
【０００９】
【図１】放射線撮影システムのハードウェア構成図。
【図２】放射線撮影システムの機能構成図。
【図３】放射線撮影システムが実行する処理の手順を示すフローチャート。
【図４】放射線撮影システムのＧＵＩの一例を示す図。
【図５】撮影プロトコルのパラメータを切り替えるためのＧＵＩの一例を示す図。
【図６】設定情報の一例を示す図。
【図７】設定情報の一例を示す図。
【図８】放射線撮影システムのＧＵＩの一例を示す図。
【発明を実施するための形態】
【００１０】
以下、添付図面を参照して本発明の好適な実施の形態を説明する。なお、以下の実施の形態は特許請求の範囲に係る発明を限定するものでなく、また本実施の形態で説明されている特徴の組み合わせの全てが発明の解決手段に必須のものとは限らない。
【００１１】
＜＜実施形態１＞＞
（放射線撮影システム）
図１は本発明の一実施形態（実施形態１）に係る放射線撮影システムのハードウェア構成図の一例を示すブロック図である。図１において、制御部１０１は、ＲＡＭ１０１０、ＲＯＭ１０１１、ＬＡＮ／ＩＦ１０１２、ＤＩＳＫ／ＩＦ１０１３、ＣＰＵ１０１４、不揮発性記憶装置１０１５を備え、これらがシステムバス１０１６によって互いに接続されている。
【００１２】
ＲＡＭ１０１０は書込み可能メモリであり、処理演算のワークエリアとして用いられる。ＲＯＭ１０１１は読出し専用メモリであり、基本プログラムや基本データ等を記憶する。ＬＡＮ／ＩＦ１０１２は、制御部１０１が外部機器と通信するための通信インタフェースである。本実施形態では、ＬＡＮ（Local Area Network）により通信する場合を説明するが、無線ＬＡＮ、Ｂｌｕｅｔｏｏｔｈ（登録商標）等の他の通信方式により通信しても構わない。ＤＩＳＫ／ＩＦ１０１３は、データ、コンピュータプログラム等を記録する記録媒体にアクセスするためのインタフェースである。本実施形態では、記録媒体としてフレキシブルディスク（ＦＤ）を用いる場合を説明するが、ＣＤ、ＤＶＤ、ＢＤ、ＵＳＢメモリ、フラッシュメモリ等の他の記録媒体を用いても構わない。ＣＰＵ１０１４は中央演算ユニットであり、オペレーティングシステム（ＯＳ）等のコンピュータプログラムに基づき、システムバス１０１６に接続された各構成要素の動作を制御する。不揮発性記憶装置１０１５は大容量記憶装置であり、ＯＳ、アプリケーションプログラム、撮影に関する各種データ等が記憶される。本実施形態では、不揮発性記憶装置１０１５はハードディスクにより実現されるが、ＳＳＤ（Solid State Drive）、磁気テープ等のデータを記憶可能な任意の記憶装置を用いることが可能である。このように、制御部１０１は、一般的なコンピュータ構成を備えている。
【００１３】
制御部１０１は、操作者による操作部１０５を介した入力に基づき、センサユニット（センサ部１０２）の駆動やＸ線発生部１０３への制御を行う。また、撮影プロトコルデータ、画像データなどの各種データを管理する。制御部１０１は、ＰＣ（パーソナルコンピュータ）、タブレット端末等の情報処理装置により実現することができる。
【００１４】
操作部１０５は、ポインティングデバイス、キーボード、照射スイッチなどの入力装置によって構成され、操作者が制御部１０１に対して各種コマンドやデータを入力するために使用される。表示部１０４はＣＲＴや液晶ディスプレイなどの一般的なモニタによって構成され、画像データやＧＵＩ（グラフィカルユーザインタフェース）などを画面に表示する。また、タッチパネルのように操作部１０５の入力機能を兼ね備えたモニタも表示部として構成可能である。
【００１５】
Ｘ線発生部１０３はＸ線発生装置（放射線発生装置）である。Ｘ線発生部１０３は、Ｘ線発生装置が備える曝射ボタン（不図示）の押下などの操作に応じて、Ｘ線管（不図示）から被写体を介してセンサ部１０２へ向けてＸ線を照射する。なお、本実施形態では、撮影に用いられる代表的な放射線としてＸ線を用いる場合を説明するが、他の波長の放射線を用いても構わない。
【００１６】
センサ部１０２は被写体を透過したＸ線信号を検知して放射線画像を形成・取得するセンサユニットであり、取得された画像は制御部１０１へ転送される。外部機器１０６は撮影画像を収集管理するシステムであり、ＤＩＣＯＭ通信を可能な外部システム全般を示している。このような外部機器１０６のうち代表的なものは、例えば、撮影オーダーの取得先であるＲＩＳや、撮影画像を保存、表示するためのＰＡＣＳ（画像保存通信システム）がある。なお、ＰＡＣＳはPicture Archiving and Communication Systemの略称である。
【００１７】
次に、本実施形態における放射線撮影システムの機能構成について図２を用いて説明する。図２は、本発明の実施形態１に係る放射線撮影システムの機能構成を示すブロック図である。図２に示す各機能要素は制御部１０１がコンピュータプログラムに基づき演算することで実現されるが、一部または全ての機能要素を専用のハードウェアにより実現してもよい。
【００１８】
プロトコル登録部２０１は撮影プロトコルに関連付けられるパラメータを撮影プロトコル名とともに入力し登録するための機能ブロックである。プロトコル登録部２０１は、操作部１０５のマウス、キーボードなどの入力デバイスによって、放射線撮影に関する１つ以上のパラメータを含む撮影プロトコルを登録して取得する。撮影プロトコルに係るパラメータの属性は、例えば、撮影方向、被写体の部位、側性、被写体サイズ、被写体の姿勢、切出しサイズ、放射線（Ｘ線等）の照射条件、画像処理条件の少なくともいずれかが含まれうるが、これに限られない。本実施形態では、撮影プロトコルを操作者の入力により登録して取得する場合を説明するが、記録媒体等の記憶装置から読み出したり、ＬＡＮ／ＩＦ１０１２を介して外部装置から通信により取得してもよい。
【００１９】
プロトコル保持部２０２はプロトコル登録部２０１によって入力されたプロトコル情報を不揮発性記憶装置１０１５に構築されたデータベースなどによって永続化して保持・記憶する機能を担う。プロトコル検索部２０３はプロトコル保持部２０２に保存されている撮影プロトコルを、所定の条件に基づいて検索する機能ブロックである。より具体的には、プロトコル登録部２０１において登録・取得した撮影プロトコルの一部のパラメータが異なるパラメータに置換された撮影プロトコルを、プロトコル保持部２０２に保持された複数の撮影プロトコルから検索する。プロトコル検索部２０３は、制御部１０１内でメモリ（ＲＡＭ１０１０等）上に展開されたコンピュータプログラムにより実行される。
【００２０】
プロトコル変更可否表示部２０４は、プロトコル検索部２０３の検索結果に基づき、表示部１０４に対してＧＵＩとして表示する機能ブロックである。すなわち、一部のパラメータが置換された撮影プロトコルが検索された場合、プロトコル登録部２０１で取得した撮影プロトコルの一部のパラメータを、その属性ごとに、異なるパラメータに置換するためのＧＵＩを表示手段に表示させる制御を行う。
【００２１】
プロトコル置換部２０５はユーザ入力の指示に基づいて、撮影プロトコルの置き換え処理を行う役割を担う部分である。すなわち、プロトコル置換部２０５は、ＧＵＩに対する操作者の指示に従い、プロトコル登録部２０１において取得した撮影プロトコルを、一部のパラメータが異なるパラメータに置換された撮影プロトコルに置換する。
【００２２】
本実施形態では、撮影プロトコルが特定されると、その撮影プロトコルの一部のパラメータを別のパラメータに置き換えた撮影プロトコルを検索し、検索結果に応じて、一部のパラメータを置換するためのＧＵＩを生成して選択可能に表示する。このため、操作者は、置換可能な全ての撮影プロトコルのリストから選択したり、あらかじめ置換候補を登録したりすることなく、所望の撮影プロトコルへ容易に置換することが可能となる。
【００２３】
（処理手順）
次に、図３を用いて本実施形態に係る処理のフローを説明する。図３は、本実施形態に係る放射線撮影システムが実行する処理の処理手順を示すフローチャートである。本フローはある撮影プロトコルに対してプロトコル変更ボタンが表示され、そのボタンを押下することによって撮影プロトコルが置き換えられるまでの典型的な処理手順を示している。なお、本フローの前提として、予め撮影プロトコルがプロトコル保持部に登録されている。以下の各ステップは、ＣＰＵ１０１４の制御に基づき実行される。
【００２４】
ステップＳ３０１では、変更可否ボタンを表示するか否かを決定する対象となる撮影プロトコル名を取得する。一般的には検査に対して登録された撮影プロトコルのすべてが対象となり得る。または、これから撮影を行うために選択された撮影プロトコルであってもよい。このように、対象となる撮影プロトコルの特定はいかなる手法により行っても構わない。本ステップでは、対象となる撮影プロトコルが特定された後に、その撮影プロトコルのプロトコル名を取得する。
【００２５】
ステップＳ３０２では、ステップＳ３０１で取得された撮影プロトコル名から一部の属性のパラメータが異なる撮影プロトコルを検索するための検索条件を生成する。例えば、ステップＳ３０１で「右手正面」という撮影プロトコルが特定された場合、左右属性の異なる撮影プロトコルを検索するために、パラメータ「右」を「左」に置換して「左手正面」という文字列を生成する。ステップＳ３０３では、ステップＳ３０２で生成された検索文字列に基づき、プロトコル保持部２０２に対して検索を実行する。
【００２６】
ステップＳ３０４では、プロトコル検索ステップＳ３０３の結果に基づき、処理内容を分岐するように制御する。ステップＳ３０２の検索条件に合致する撮影プロトコルが存在する場合（Ｓ３０４でＹＥＳ）にはステップＳ３０５へ進み、存在しない場合（Ｓ３０４でＮＯ）は処理を終了する。
【００２７】
ステップＳ３０５では、プロトコル変更ボタンをＧＵＩとして表示する処理を行う。ステップＳ３０６では、ステップＳ３０５で表示されたボタンが押下されたか否かを判断して処理内容を分岐する制御を行う。ボタンが押下される（Ｓ３０４でＹＥＳ）とステップＳ３０７へ移行し、押下されなければ（Ｓ３０４でＮＯ）処理を何も行わずにフローを終了する。
【００２８】
ステップＳ３０７では、現在の撮影プロトコルをステップＳ３０３で見つかった撮影プロトコルに置き換える。先の例の場合であれば「右手正面」から「左手正面」に変更される。そして、処理を終了する。
【００２９】
（ＧＵＩ例）
次に、図４を用いて、本実施形態に係る放射線撮影システムのＧＵＩ例を説明する。図４は放射線撮影システムの検査開始直後のＧＵＩの一例を示したものである。図４（Ａ）はプロトコル変更ボタン押下前のＧＵＩ例を示し、図４（Ｂ）はプロトコル変更ボタン押下後のＧＵＩ例を示している。
【００３０】
４０１は操作画面全体を示しており、４０２は画像表示領域である。図４（Ａ）、図４（Ｂ）には、まだ、撮影実施前であるため画像表示領域４０２には画像が表示されていない様子が示されている。４０３は本検査の被験者である患者の情報を表示する領域である。図４（Ａ）、図４（Ｂ）の例では、患者ＩＤが「２２２２２」、患者名が「キヤノン二郎」、患者の生年月日が２０００年２月３日である場合が示されている。
【００３１】
４０４は検査情報表示部であり、検査を識別するAccession番号（図４（Ａ）、図４（Ｂ）では「ＡＣＣ＃」と表記）を表示する領域である。図４（Ａ）、図４（Ｂ）の例では、Accession番号が「１２３４５」である例を示している。４０５はプロトコル表示部であり、図４（Ａ）の例では、今回の撮影は「右手正面」の撮影を予定している検査であることが分かる。
【００３２】
４０６はプロトコル変更ボタンであり、本例ではステップＳ３０４において「左手正面」の撮影プロトコルが見つかった場合にステップＳ３０５で表示されるボタンの一例を示している。４０７はプロトコル変更ボタン４０６を押下後のプロトコル表示部であり、「右手正面」から「左手正面」に撮影プロトコルが切り替わっている様子を示している。４０８は左手正面プロトコルに対するプロトコル変更ボタンであり、このボタンを押下することによって「左手正面」から「右手正面」に切り替えることができ、再度図４（Ａ）の状態に戻ることとなる。
【００３３】
以上のように、本実施形態に係る放射線撮影システムは、放射線撮影に関する１つ以上のパラメータを含む撮影プロトコル（第一の撮影プロトコル）を取得する。そして、取得した撮影プロトコルの一部のパラメータが異なる撮影プロトコル（第二の撮影プロトコル）を、記憶装置に記憶された複数の撮影プロトコルから検索する。検索により第二の撮影プロトコルが特定された場合、該特定された第二の撮影プロトコルの中から第一の撮影プロトコルの置換先となる撮影プロトコルを選択するためのユーザインタフェースを表示部に表示させる。ユーザインタフェースに対する操作者の指示に従い、第一の撮影プロトコルを、選択された第二の撮影プロトコルに置換する。このため、操作者は、第一の撮影プロトコルを所望の撮影プロトコルに容易に置換することが可能である。
また、本実施形態に係る放射線撮影システムは、撮影プロトコルのプロトコル名を取得すると、プロトコル名を基に検索条件を生成し、その撮影プロトコルの一部のパラメータを別のパラメータに置き換えた撮影プロトコルを検索する。そして、検索結果に応じて、一部のパラメータを置換するためのプロトコル変更ボタンを生成して操作者が選択できるように表示する。このため、操作者は、置換可能な全ての撮影プロトコルのリストから所望のものを探すなど煩わしい作業をすることなく、撮影プロトコルの一部の属性に係るパラメータが異なる別の撮影プロトコルに容易に切り替えることが可能である。したがって、撮影プロトコルの置き換え処理に対する操作性の向上が期待される他、あらかじめ置換候補を登録しておく必要もないため、システムの設置作業の短縮も期待される。
【００３４】
また、本実施形態では、プロトコル名に基づき検索条件を自動的に生成し、当該検索条件により一部のパラメータが異なるパラメータに置換された撮影プロトコルを検索する。このため、置換候補となる撮影プロトコルを操作者の操作を要することなく提示することができるため、操作者やシステム管理者の煩わしい操作を必要とせず、操作性を高めることが可能となる。
【００３５】
また、本実施形態では、第一の撮影プロトコルのパラメータを他のパラメータに置換するための絵柄（プロトコル変更ボタン）を、その属性毎に表示部１０４のプロトコル表示部４０５に選択可能に表示させる。そして、絵柄が操作者に選択されたことに応じて、第一の撮影プロトコルを、当該絵柄の属性に係るパラメータを他のパラメータに置き換えた第二の撮影プロトコルに置換する。このため、本実施形態によれば、操作者は撮影プロトコルに含まれるパラメータを容易に置換することができる。
なお、第一の撮影プロトコルの一部のパラメータが異なる撮影プロトコルを検索した結果、一部のパラメータが異なる撮影プロトコルが特定されない場合には、ユーザインタフェースにおいて撮影プロトコルを置換できないようにしてもよい。例えば、撮影プロトコル領域４０５内にプロトコル変更ボタンを表示しないようにしたり、プロトコル変更ボタンを表示しても操作入力により置換が実行されないようにしてもよい。これにより、誤操作の可能性を低減することができる。
【００３６】
＜＜実施形態２＞＞
実施形態１においては撮影プロトコルに関連付けられた属性のうち左右を意味する「側性」のパラメータが異なる別の撮影プロトコルを検索する例を示したが、置換対象となる属性は「側性」に限られない。Ｘ線撮影条件、画像処理条件、部位、撮影方向など任意の属性についても同様の処理を行うことができる。ここでは、一例として、「左手正面」を「左手側面」に変更するなど、撮影方向に関してパラメータ置換を行う例を説明する。
【００３７】
図５は撮影方向が異なる撮影プロトコルに切り替える際のボタンの表示例を示したものである。図５（Ａ）は切り替え前、図５（Ｂ）は切り替え後の撮影プロトコルの表示領域の様子を示している。５０１はプロトコル表示領域であり、「右手正面」の撮影を行う撮影プロトコルであることを示している。５０２はプロトコル変更ボタンであり、撮影プロトコルのうち撮影方向が異なる撮影プロトコルへ切り替えができることを示している。５０３はプロトコルボタン５０２を押下後の撮影プロトコルの状態を示しており、「右手正面」から「右手側面」に撮影プロトコルが切り替わっている状態である。５０４は「右手側面」プロトコルに対して撮影方向の異なる撮影プロトコルへ切り替えるためのボタンであり、押下すると図５（Ａ）の状態に戻ることとなる。
【００３８】
このように、「側性」以外の属性のパラメータについも、実施形態１と同様に、置換候補となるパラメータを自動的に検索して、パラメータ置換のためのＧＵＩを生成して表示する。このため、置換候補を予め登録するなどの準備を要することなく、置換先の撮影プロトコルの選択を容易にして、操作性を向上させることが可能となる。
【００３９】
＜＜実施形態３＞＞
検索条件の文字列を生成するために左右を意味する文字列を入れ替える、撮影方向を意味する文字列を入れ替えるなどの処理を実現する際に、検索文字列の生成ルールを事前設定しておくことで、より柔軟な運用が可能となる。例えば、左右を意味する文字列は日本語では「左／右」であるが、英語では「Left／Right」となるため、固定的な文字列置換処理では様々な運用に対応することが困難である。そのため、検索文字列を生成するためのルールをあらかじめ設定しておくことにより、より柔軟な検索文字列の生成が可能となる。
【００４０】
図６は、検索文字列を生成する際に利用する設定値の例を示している。設定には属性カテゴリ、検索文字列、置換文字列が定義されている。属性カテゴリは、撮影プロトコルに関連付けられているパラメータのうち、置き換え対象となる属性のカテゴリを意味する。設定情報としての検索文字列は、プロトコル保持部２０２に対する検索文字列ではなく、置換元の撮影プロトコル名の検索対象を特定するための文字列である。図６の場合カテゴリとして側性、撮影方向、撮影姿勢の３つが定義されている。図６に示されている撮影方向として「正面」、「側面」が定義されている場合、プロトコル名として「胸部正面」が取得された場合に、置き換え候補の検索条件として生成されるプロトコル名は「胸部側面」となる。また、逆に「胸部側面」に対しては「胸部正面」が検索文字列対象となる。属性カテゴリを定義する意味は、複数の属性にまたがって検索文字列を生成しないためである。例えば、「左手正面」という撮影プロトコルに対して図６の設定値に基づいて検索文字列を生成すると「左手側面」「右手正面」「右手側面」という３つのバリエーションが存在してしまうことになる。そこで、属性カテゴリごとに個別に検索文字列を生成することで側性に対しては「右手正面」、撮影方向に対しては「左手側面」と唯一に決定することができる。なお、図６において、ＰＡは“Posterior-Anterior view”の略称であり、ＬＡＴは“Lateral”の略称である。
【００４１】
このように、本実施形態では、パラメータの属性毎に、置換対象のパラメータと置換後のパラメータとの関係を示す情報を検索条件の生成ルール情報として保持しておく。そして、この生成ルール情報に基づき、プロトコル登録部２０１において取得した撮影プロトコルの一部のパラメータが異なるパラメータに置換された撮影プロトコルを検索対象として検索する。このため、置換候補の撮影プロトコルを網羅的かつ適切に検索することが可能となる。
【００４２】
また、複数の候補が考えられる場合は、プロトコル変更ボタンがそれぞれの属性毎に表示され、対応する属性のボタンを押下することによって、所望の撮影プロトコルへ置換することが可能となる。すなわち、プロトコル登録部２０１において登録した撮影プロトコルを構成するパラメータのうち、複数のパラメータを置換した撮影プロトコルを検索対象としてもよい。この場合、プロトコル変更可否表示部２０４は、ＧＵＩとして置換しうるパラメータの個数のプロトコル変更ボタンを表示することで、操作者は属性毎にパラメータを変更することができる。
【００４３】
また、放射線撮影システムの構成によっては、特定のパラメータの組み合わせをとることができない場合がある。そこで、プロトコル変更可否表示部２０４は、プロトコル検索部２０３の検索結果に基づき、適宜プロトコル変更ボタンを選択できないように制御することで、システム上取りえないパラメータの組み合わせを操作者が選択できないようにしてもよい。例えば、２つの属性Ａ（取りうるパラメータはａ１、ａ２）、Ｂ（取りうるパラメータはｂ１、ｂ２）について、プロトコル登録部２０１が、（ａ１，ｂ１）のパラメータを含む撮影プロトコルを登録したとする。そして、プロトコル検索部２０３が、この撮影プロトコルについて、（ａ１，ｂ２）を含む撮影プロトコル、及び、（ａ２，ｂ１）を含む撮影プロトコルを検索したとする（すなわち、（ａ２，ｂ２）を含む撮影プロトコルはシステム上取りえない。）。この場合、プロトコル変更可否表示部２０４は、（ａ１，ｂ１）のパラメータを含む撮影プロトコルについての検索結果に応じて、属性Ａ、属性Ｂのパラメータをそれぞれ置換するための２つのプロトコル変更ボタンを表示する。ここで、属性Ａのパラメータの置換が指示された場合、置換先の撮影プロトコルは（ａ２，ｂ１）を含むものとなり、また、（ａ２，ｂ２）の組み合わせは取りえないから、それ以上属性Ｂのパラメータを置換することはできない。そこで、属性Ａのパラメータの置換が指示されたときは、属性Ｂについてのプロトコル変更ボタンを非表示としたり、属性Ｂについては選択不可を示す表示をする。このように、検索結果に応じてプロトコル変更ボタンを表示を制御することで、操作者は、プロトコル検索部２０３が検索した置換候補の撮影プロトコルの範囲内で、置換先の撮影プロトコルを容易に選択することができる。
【００４４】
また、検索文字列の生成はプロトコル名の一部の文字列の置換に限らず、特定の文字列が追加されていることを検索するルールを正規表現などを用いて設定することも可能である。撮影プロトコル名に基づいて検索文字列を生成するルールが定義さえできれば、その設定手法はいかなるものでもよい。
【００４５】
＜＜実施形態４＞＞
施設によっては、撮影プロトコルを特定するためのコード値（CodeValue）の各桁に対して、撮影情報の意味を割り当てるようなコード運用をしているケースがある。例えば、ＪＪ１０１７として知られるコードは、コード値の各桁における、手技や部位、姿勢・撮影方向などを指定する数値によって意味づけされている。そのような運用においては、プロトコル名で検索条件を生成するのではなく、コード値を検索条件として生成することでより詳細かつ正確な検索を実行することが可能である。例えば、ＪＪ１０１７のコード値は、上位１３〜１４バイトにより撮影方向を示すが、その部分のコードが０２であれば「正面（Ａ→Ｐ）」、０３であれば「正面（Ｐ→Ａ）」と定義されている。その定義を利用することにより、コード値の検索コード値を生成して撮影プロトコルを検索することが可能となる。
【００４６】
図７は、本実施形態における検索文字列生成のための設定テーブルである。設定テーブルにはコード値の対象箇所を示す設定の他、コード値を相互に入れ替えるための検索コード値、置換コード値が設けられている。また、それぞれの数値意味が理解しにくいため、それぞれのコード値にコード意味が記述されている。本設定テーブルを利用する場合の動作例として、例えば「胸部正面ＡＰ」という撮影プロトコルに対して、「１１１１１１１１１１１１０２１１」というコード値が割り当てられているとする。このとき、１３−１４バイト目の「０２」が検索対象文字列となり、その文字列を「０３」に置き換えた「１１１１１１１１１１１１０３１１」が「胸部正面ＰＡ」を意味するコード値となる。そこで、そのコード値を元にデータベースに対して検索することになる。
【００４７】
本実施形態においても、処理フローは図３で示したものとなんら変わりなく、ステップＳ３０１のプロトコル名取得をコード値の取得として読みかえればそのまま同様のフローで処理することが可能である。
【００４８】
上記のように、本実施形態では、撮影プロトコルを識別コードとして取得し、この識別コードの一部のコード値が別のコード値に置換された識別コードを、一部のパラメータが異なるパラメータに置換された撮影プロトコルとして検索する。このため、既存の識別コード値を用いて、置換候補となる撮影プロトコルを適切に検索することができる。
【００４９】
＜＜実施形態５＞＞
実施形態１の構成では、撮影プロトコル表示領域にプロトコル変更ボタンが重畳表示され、任意の撮影プロトコルの切り替えを行うことが可能である。もっとも、容易に切り替えられるために、誤ってプロトコルを切り替えてしまうリスクも高まってしまう。そこで、プロトコル置換候補を表示するための画面を別に設け、あらかじめ登録されている置換候補プロトコルと、属性カテゴリ別に動的に検索された撮影プロトコルを同時に提示することも可能である。
【００５０】
図８は、このようなプロトコル置換候補を表示する画面の一例を示したものである。図８は、「右手正面」の撮影プロトコルの置換候補を検索対象として表示する例を示している。
【００５１】
８０１はプロトコル置換候補表示ウィンドウである。８０２は、対象の撮影プロトコルに対して事前に設定されている置換候補を表示する領域である。８０３は対象の撮影プロトコルに対して、図３のフローにより検索された撮影プロトコルを表示する領域である。すなわち、領域８０３は、動的検索プロトコル表示領域であり、検索した結果、撮影プロトコルが見つからなかった場合は何も表示されない状態となる。
【００５２】
８０４は属性のカテゴリを表示する領域であり、８０５の検索された撮影プロトコルとともに表示される。図８では側性の異なる撮影プロトコルとして「左手正面」が提示され、選択状態にあることが示されている。また、撮影方向の異なる撮影プロトコルとして「右手側面」が候補として表示されている。さらに、属性カテゴリとして切り出しサイズが表示され、切り出しサイズの異なる撮影プロトコルボタンも候補として表示されている。
【００５３】
このような表示形態にすることにより、検索によって複数の候補が見つかった際にも分かりやすく候補の撮影プロトコルを示すことが可能である。８０６は設定を確定するためのボタンであり、８０７は設定をキャンセルして、画面を閉じるためのボタンである。
【００５４】
上記のように、本実施形態では、撮影プロトコル毎に置換候補としての撮影プロトコルを予め登録しておき、プロトコル登録部２０１が取得した撮影プロトコルについて登録された置換候補としての撮影プロトコルを更に検索する。そして、検索された置換候補としての撮影プロトコルを更に選択可能に表示部１０４に表示させ、置換候補としての撮影プロトコルが操作者により選択された場合、取得した撮影プロトコルを当該選択された撮影プロトコルに置換する。このため、予め登録しておいた置換候補からも撮影プロトコルを選択することができ、操作者は、より多くの選択肢の中から、置換候補の撮影プロトコルを簡易に選択することが可能となる。
【００５５】
なお、上記各実施形態では、撮影プロトコルの特定に応じて置換候補を検索し、パラメータを置換するためのプロトコル変更ボタン（絵柄）を表示することで、所望の撮影プロトコルを容易に選択して置換する構成を説明した。さらに、このように撮影プロトコルを簡易に選択できる動作モードと、プロトコル保持部２０２に保持された撮影プロトコルを表示部１０４に選択可能に一覧表示し、選択された撮影プロトコルに置換する動作モードとを選択できるようにしてもよい。すなわち、検索により第二の撮影プロトコルが特定された場合、該特定された第二の撮影プロトコルの中から第一の撮影プロトコルの置換先となる撮影プロトコルを選択するための第一のユーザインタフェースを表示部に表示させる（簡易選択モード）。さらに、操作者からの指示に応じて、記憶装置に記憶された複数の撮影プロトコルの一覧から置換先となる撮影プロトコルを選択するための第二のユーザインタフェースを表示部に表示させる（一覧選択モード）。そして、第一の撮影プロトコルを、第一及び第二のユーザインタフェースの少なくともいずれかに基づき選択された撮影プロトコルに置換するようにしてもよい。これにより、操作者は置換プロトコルの簡易な選択と一覧表示からの網羅的な選択とを用途・目的に応じて切り替えることができ、操作性をさらに高めることが可能となる。なお、動作モードの切換えは、例えば、切換ボタンを表示部１０４に選択可能に表示し、このボタンの選択を介した操作者からの指示に応じて、行うようにすることができる。また、一覧表示する対象は、プロトコル保持部２０２に保持された全ての撮影プロトコルではなく、プロトコル検索部２０３により検索された撮影プロトコルとしてもよい。これにより、選択しうる撮影プロトコルの候補の数が絞られるため、操作者は、容易に撮影プロトコルを選択することが可能となる。また、撮影プロトコルを絵柄により簡易に選択可能な第一のユーザインタフェースをプロトコル表示部４０５に表示すると共に、撮影プロトコルの一覧から選択可能な第二のユーザインタフェースを放射線画像の画像表示領域４０２に表示してもよい。これにより、操作者は、これら２つのユーザインタフェースを適宜使い分けることができる。
【００５６】
なお、一覧選択モードの場合、撮影プロトコルの置換により、置換先の撮影プロトコルに対応づけられた画像処理パラメータに応じて画像処理をやり直すことが一般的である。このため、一覧選択モードにおいては、置換先の撮影プロトコルを選択してから、置換後の撮影プロトコルに応じた新たな放射線画像を表示するまでに数秒程度の時間がかかることが多い。これに対して、簡易選択モードにおいては、撮影プロトコルの置換により部位が変わらない場合には画像処理の修正が不要であるため、置換後、迅速に画像を表示することができる。もっとも簡易選択モードにおいても、置換により部位や方向が変わり、画像処理パラメータが変わる場合には、画像処理のやり直しが必要なため、適切に画像処理された画像が表示されるまでには、数秒の時間がかかることになる。
【００５７】
また、プロトコル変更ボタンにより簡易に置換先の撮影プロトコルを選択可能なユーザインタフェースは、設定によりＯＮ／ＯＦＦされるようにしてもよい。すなわち、操作者により、ＯＮの設定がなされた場合は図３のフローチャートに従い、撮影プロトコルを検索してユーザインタフェースを表示するが、ＯＦＦの場合には、検索の実行や、ユーザインタフェースの表示等を行わないようにしてもよい。これにより、用途や目的に応じて多様な撮影プロトコルの選択が可能となる。
【００５８】
また、図３のフローチャートでは、Ｓ３０３のプロトコル検索により置換先の撮影プロトコルが発見された場合にプロトコル変更ボタンを表示しているが（Ｓ３０４でＹＥＳ、Ｓ３０５）、検索結果にかかわらずプロトコル変更ボタンを表示するようにしてもよい。この場合、表示されたプロトコル変更ボタンは、その機能がＯＮに設定されたり、置換先の撮影プロトコルが検索により特定された場合にのみ、操作入力の受け付けを可能とすることができる。
【００５９】
＜＜その他の実施形態＞＞
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００６０】
２０１：プロトコル登録部、２０２：プロトコル保持部、２０３：プロトコル検索部、２０４：プロトコル変更可否表示部、２０５：プロトコル置換部
【図１】
2020028757.tif 000003
【図２】
2020028757.tif 000004
【図３】
2020028757.tif 000005
【図４】
2020028757.tif 000006
【図５】
2020028757.tif 000007
【図６】
2020028757.tif 000008
【図７】
2020028757.tif 000009
【図８】
2020028757.tif 000010
【手続補正書】
【提出日】令和1年12月10日(2019.12.10)
【手続補正１】
【補正対象書類名】特許請求の範囲
【補正対象項目名】全文
【補正方法】変更
【補正の内容】
【特許請求の範囲】
【請求項１】
放射線撮影に関する１つ以上のパラメータを含む撮影プロトコルに応じて制御された放射線発生装置から被写体に照射されて該被写体を透過した放射線を検知して、該放射線に応じた放射線画像を取得するセンサ部と、
前記撮影プロトコルに応じて前記センサ部で取得された放射線画像の画像処理を行うための前記放射線撮影に関する処理を行う情報処理装置と、を備える放射線撮影システムであって、
前記情報処理装置は、
複数の撮影プロトコルを記憶する記憶手段と、
前記記憶手段に記憶された前記複数の撮影プロトコルのうち前記撮影プロトコルとして取得された第一の撮影プロトコルとは異なる第二の撮影プロトコルに前記第一の撮影プロトコルを操作者からの指示に応じて置換する処理を実行するユーザインタフェースを表示手段に表示された前記第一の撮影プロトコルを示すプロトコル表示領域に表示させる制御手段と、
前記ユーザインタフェースに対する操作者の指示に従い、前記第一の撮影プロトコルを前記第二の撮影プロトコルに置換する置換手段と、
を備えることを特徴とする放射線撮影システム。
【請求項２】
前記制御手段は、前記ユーザインタフェースを第一のユーザインタフェースとして表示手段に表示させ、
前記制御手段はさらに、操作者からの指示に応じて前記記憶手段に記憶された複数の撮影プロトコルの一覧から前記第一の撮影プロトコルを置換する候補の撮影プロトコルを選択するための第二のユーザインタフェースを前記第一のユーザインタフェースとは別に前記表示手段に表示させ、
前記置換手段は、前記第一の撮影プロトコルを、前記第一及び第二のユーザインタフェースの少なくともいずれかに基づき選択された撮影プロトコルに置換することを特徴とする請求項１に記載の放射線撮影システム。
【請求項３】
前記制御手段は、前記第一のユーザインタフェースとして、放射線撮影を予定している前記第一の撮影プロトコルのパラメータを他のパラメータに置換するための絵柄を、その属性毎に、前記表示手段に選択可能に表示させ、
前記置換手段は、前記絵柄が操作者により選択されたことに応じて、前記第一の撮影プロトコルを、当該絵柄の属性に係る一部のパラメータを他のパラメータに置き換えた第二の撮影プロトコルに置換することを特徴とする請求項２に記載の放射線撮影システム。
【請求項４】
前記制御手段は、前記第二のユーザインタフェースとして、放射線画像の表示領域に代えて、前記記憶手段に記憶された複数の撮影プロトコルの一覧を選択可能に前記表示手段に表示させることを特徴とする請求項２又は３に記載の放射線撮影システム。
【請求項５】
前記情報処理装置は、前記記憶手段に記憶された前記複数の撮影プロトコルから前記第二の撮影プロトコルを特定する特定手段を更に含み、
前記特定手段は、前記記憶手段に記憶された前記複数の撮影プロトコルから、前記第一の撮影プロトコルに係るパラメータの属性である、撮影方向、被写体の部位、側性、被写体サイズ、被写体の姿勢、切出しサイズ、放射線の照射条件、及び、画像処理条件の少なくともいずれかとその一部が異なる撮影プロトコルとして前記第二の撮影プロトコルを特定することを特徴とする請求項１から４のいずれか１項に記載の放射線撮影システム。
【請求項６】
前記情報処理装置は、前記パラメータの属性毎に、置換対象のパラメータと置換後のパラメータとの関係を示す情報を検索条件の生成ルール情報として保持する保持手段を更に備え、
前記特定手段は、前記生成ルール情報に基づき、前記第一の撮影プロトコルの一部のパラメータが異なるパラメータに置換された第二の撮影プロトコルを特定することを特徴とする請求項５に記載の放射線撮影システム。
【請求項７】
前記情報処理装置は、前記撮影プロトコルとして第一の撮影プロトコルを取得する取得手段を更に備え、
前記取得手段は、前記第一の撮影プロトコルと共に当該第一の撮影プロトコルのプロトコル名を取得し、
前記特定手段は、前記プロトコル名に基づき検索条件を生成し、当該検索条件により前記第二の撮影プロトコルを特定することを特徴とする請求項６に記載の放射線撮影システム。
【請求項８】
前記情報処理装置は、前記撮影プロトコルとして第一の撮影プロトコルを取得する取得手段を更に備え、
前記取得手段は、前記第一の撮影プロトコルを識別コードとして取得し、
前記特定手段は、前記識別コードの一部のコード値が別のコード値に置換された識別コードを、前記第二の撮影プロトコルとして特定することを特徴とする請求項６に記載の放射線撮影システム。
【請求項９】
前記情報処理装置は、前記撮影プロトコル毎に置換候補としての撮影プロトコルを予め登録する登録手段を更に備え、
前記特定手段は、前記第一の撮影プロトコルについて登録された置換候補としての撮影プロトコルを更に特定し、
前記制御手段は、特定された前記置換候補としての撮影プロトコルを更に指示可能に前記表示手段に表示させ、
前記置換手段は、前記置換候補としての撮影プロトコルが操作者により指示された場合、前記第一の撮影プロトコルを当該指示された撮影プロトコルに置換することを特徴とする請求項５乃至８のいずれか１項に記載の放射線撮影システム。
【請求項１０】
放射線撮影に関する１つ以上のパラメータを含む撮影プロトコルに応じて、被写体に放射線を照射する放射線発生装置から被写体に照射されて該被写体を透過した放射線を検知して該放射線に応じた放射線画像を取得するセンサ部で取得された放射線画像の画像処理を行うための、前記放射線撮影に関する処理を行う情報処理装置であって、
複数の撮影プロトコルを記憶する記憶手段と、
前記記憶手段に記憶された前記複数の撮影プロトコルのうち前記撮影プロトコルとして取得された第一の撮影プロトコルとは異なる第二の撮影プロトコルに前記第一の撮影プロトコルを操作者からの指示に応じて置換する処理を実行するユーザインタフェースを表示手段に表示された前記第一の撮影プロトコルを示すプロトコル表示領域に表示させる制御手段と、
前記ユーザインタフェースに対する操作者の指示に従い、前記第一の撮影プロトコルを前記第二の撮影プロトコルに置換する置換手段と
を備えることを特徴とする情報処理装置。
【請求項１１】
放射線撮影に関する１つ以上のパラメータを含む撮影プロトコルに応じて制御された放射線発生装置から被写体に照射されて該被写体を透過した放射線を検知して、該放射線に応じた放射線画像を取得するセンサ部と、前記撮影プロトコルに応じて前記センサ部で取得された放射線画像の画像処理を行うための、前記放射線撮影に関する処理を行う情報処理装置と、を含む放射線撮影システムにおいて、前記情報処理装置が行う情報処理方法であって、
制御手段が、記憶手段に記憶された複数の撮影プロトコルのうち前記撮影プロトコルとして取得された第一の撮影プロトコルとは異なる第二の撮影プロトコルに前記第一の撮影プロトコルを操作者からの指示に応じて置換する処理を実行するユーザインタフェースを表示手段に表示された前記第一の撮影プロトコルを示すプロトコル表示領域に表示させる制御工程と、
置換手段が、前記ユーザインタフェースに対する操作者の指示に従い、前記第一の撮影プロトコルを前記第二の撮影プロトコルに置換する置換工程と
を有することを特徴とする情報処理方法。
【請求項１２】
放射線撮影に関する１つ以上のパラメータを含む撮影プロトコルに応じて制御された放射線発生装置から被写体に照射されて該被写体を透過した放射線を検知して、該放射線に応じた放射線画像を取得するセンサ部で取得された放射線画像の画像処理を行うための、前記放射線撮影に関する処理を行う情報処理装置が行う情報処理方法であって、
記憶手段に記憶された複数の撮影プロトコルのうち前記撮影プロトコルとして取得された第一の撮影プロトコルとは異なる第二の撮影プロトコルに前記第一の撮影プロトコルを操作者からの指示に応じて置換する処理を実行するユーザインタフェースを表示手段に表示された前記第一の撮影プロトコルを示すプロトコル表示領域に表示させる表示工程と、
置換手段が、前記ユーザインタフェースに対する操作者の指示に従い、前記第一の撮影プロトコルを前記第二の撮影プロトコルに置換する置換工程と
を有することを特徴とする情報処理方法。
【請求項１３】
コンピュータを、請求項１から９のいずれか１項に記載の放射線撮影システム、又は、請求項１０に記載の情報処理装置が備える各手段として機能させるためのコンピュータプログラム。
【手続補正３】
【補正対象書類名】明細書
【補正対象項目名】０００１
【補正方法】変更
【補正の内容】
【０００１】
本発明は放射線撮影システム、情報処理装置及び情報処理方法、コンピュータプログラムに関し、特に、医療用放射線画像を撮影するための放射線撮影装置に関する。
【手続補正４】
【補正対象書類名】明細書
【補正対象項目名】０００７
【補正方法】変更
【補正の内容】
【０００７】
上記目的を達成するため、本発明による放射線撮影システムは以下の構成を備える。即ち、
放射線撮影に関する１つ以上のパラメータを含む撮影プロトコルに応じて制御された放射線発生装置から被写体に照射されて該被写体を透過した放射線を検知して、該放射線に応じた放射線画像を取得するセンサ部と、
前記撮影プロトコルに応じて前記センサ部で取得された放射線画像の画像処理を行うための前記放射線撮影に関する処理を行う情報処理装置と、を備える放射線撮影システムであって、
前記情報処理装置は、
複数の撮影プロトコルを記憶する記憶手段と、
前記記憶手段に記憶された前記複数の撮影プロトコルのうち前記撮影プロトコルとして取得された第一の撮影プロトコルとは異なる第二の撮影プロトコルに前記第一の撮影プロトコルを操作者からの指示に応じて置換する処理を実行するユーザインタフェースを表示手段に表示された前記第一の撮影プロトコルを示すプロトコル表示領域に表示させる制御手段と、
前記ユーザインタフェースに対する操作者の指示に従い、前記第一の撮影プロトコルを前記第二の撮影プロトコルに置換する置換手段と、
を備えることを特徴とする。